(57)【要約】【課題】タッチ操作後においてもユーザーがタッチ位置を移動して被写体の指定を変更して撮影準備動作を行うことができるようにする。【解決手段】撮像部２１０は被写体を撮像して被写体像を得る。表示部２１５には撮像部で撮像されたスルー画像が表示され、タッチパネル２１７によって表示部に対するタッチ操作があると、ＣＰＵ２１８はスルー画像上へのタッチがあり、かつ当該タッチによるタッチ位置の移動が停止したことに応じて、そのタッチ位置に応じた被写体像に対して撮影準備動作を行うように制御する。【選択図】図２
2014085620.tif 000002
【特許請求の範囲】
【請求項１】
被写体を撮像して被写体像を得る撮像手段と、
前記撮像手段で撮像されたスルー画像を表示可能な表示手段と、
前記表示手段に対するタッチ操作を検出可能なタッチ検出手段と、
前記表示手段において表示されたスルー画像上へのタッチがあり、かつ当該タッチによるタッチ位置の移動が停止したことに応じて、該タッチ位置に応じた被写体像に対して撮影準備動作を行うように制御する制御手段と、
を有することを特徴とする撮像装置。
【請求項２】
前記制御手段は、タッチ位置に応じた前記撮影準備動作を開始した後、タッチが離されることなくタッチ位置が移動し再び停止した場合には、当該再び停止したタッチ位置に応じた被写体に対して撮影準備動作を再度行うように制御することを特徴とする請求項１に記載の撮像装置。
【請求項３】
タッチ位置に対して前記撮影準備動作が行われる範囲を示す範囲表示を行い、前記タッチ位置の移動に追従して前記範囲表示の表示位置も移動するように制御する表示制御手段をさらに有することを特徴とする請求項１又は２に記載の撮像装置。
【請求項４】
前記撮影準備動作には、少なくとも被写体に対してフォーカスを自動的に合わせるオートフォーカスが含まれることを特徴とする請求項１乃至３のいずれか１項に記載の撮像装置。
【請求項５】
前記撮影準備動作には、被写体に対して露出を合わせるＡＥ処理が含まれることを特徴とする請求項１乃至４のいずれか１項に記載の撮像装置。
【請求項６】
前記制御手段は、前記表示手段に対するタッチが離されたことに応じて、前記撮像手段による撮像を行い、撮像された画像を画像ファイルとして記録媒体に記録する本撮影処理を行うように制御することを特徴とする請求項１乃至５のいずれか１項に記載の撮像装置。
【請求項７】
前記制御手段は、前記タッチ位置が、所定の距離範囲を超えた移動をしない場合に前記停止したと判定することを特徴とする請求項１乃至６のいずれか１項に記載の撮像装置。
【請求項８】
前記制御手段は、前記タッチ位置の移動が所定の時間以上停止したことに応じて、タッチ位置に応じた被写体像に対する前記撮影準備動作を行うように制御することを特徴とする請求項１乃至７のいずれか１項に記載の撮像装置。
【請求項９】
前記タッチ検出手段は、タッチ操作による接触圧力も検出可能であり、
前記制御手段は、前記タッチ位置の移動が停止し、かつ所定の圧力以上の接触圧力が検出されたことに応じて、タッチ位置に応じた被写体像に対する前記撮影準備動作を行うように制御することを特徴とする請求項１乃至７のいずれか１項に記載の撮像装置。
【請求項１０】
被写体を撮像して被写体像を得る撮像手段と、前記撮像手段で撮像されたスルー画像を表示可能な表示手段と、前記表示手段に対するタッチ操作を検出可能なタッチ検出手段とを有する撮像装置の制御方法であって、
前記表示手段において表示されたスルー画像上へのタッチがあり、かつ当該タッチによるタッチ位置の移動が停止したことに応じて、該タッチ位置に応じた被写体像に対して撮影準備動作を行うように制御する制御ステップを有することを特徴とする撮像装置の制御方法。
【請求項１１】
コンピュータを、請求項１乃至９のいずれか１項に記載された撮像装置の各手段として機能させるプログラム。
【請求項１２】
コンピュータを、請求項１乃至９のいずれか１項に記載された撮像装置の各手段として機能させるプログラムを格納したコンピュータが読み取り可能な記憶媒体。
【発明の詳細な説明】
【技術分野】
【０００１】
本発明は、撮像装置、その制御方法、およびプログラム、並びに記憶媒体に関し、特に、タッチパネル付き表示部を備える撮像装置に関する。
【背景技術】
【０００２】
一般に、デジタルカメラなどの撮像装置では、押しボタン式のレリーズスイッチが設けられている。このレリーズスイッチは押されていない状態、押しボタンを可動端まで押しこむ全押し状態、そして、その中間の半押し状態の３つの状態とされる。
【０００３】
レリーズスイッチが半押し状態（以下ＳＷ１という）では、撮像装置は自動フォーカス、自動露出制御、および自動ホワイトバランス調整などの撮影準備動作を行う。そして、レリーズスイッチが押しこみ全押し状態（以下ＳＷ２という）では、撮像装置は撮影動作を行う。
【０００４】
ところで、被写体像を液晶パネル画面に表示して確認しつつ、撮影を行うことができる撮像装置には、操作指示手段としてタッチパネルを用いたものがある。このような撮像装置では、レリーズスイッチの半押しＳＷ１および全押しＳＷ２の操作をタッチパネルを用いて操作できるようにしたものがある。
【０００５】
例えば、タッチ操作されたタッチ位置座標値とタッチの接触圧力（以下押し圧とという）を検出可能なタッチパネルを用いて、タッチパネルがタッチさたれことを検知した際、その押し圧が所定値以下であると撮影準備動作が撮像装置に指示される。そして、押し圧が所定値を超えると、撮像装置に対して撮影動作が指示されるようにしたものがある（特許文献１参照）。
【０００６】
また、タッチパネルがタッチされた接触面積を検出可能なタッチパネルを用いて、タッチパネルがタッチされたことを検知した際、タッチの接触面積が所定値以下であると撮像装置に撮影準備動作が指示されるようにしたものがある（特許文献２参照）。そして、接触面積が所定値を超えると、撮像装置に撮影動作が指示される。
【０００７】
さらに、手ぶれを抑えるために２つのタッチセンサーを用いて、レリーズスイッチの半押しＳＷ１および全押しＳＷ２の操作をタッチパネルを用いて操作するようにした撮像装置がある（特許文献３参照）。ここでは、２つのタッチセンサーを指などでタッチすることによって撮像装置に撮影準備動作が指示され、片方の指を離すと撮像装置に撮影動作が指示される。
【０００８】
加えて、タッチパネルにして所謂タッチダウンがあると、撮像装置が撮影準備動作を行うようにしたものがある（特許文献４参照）。そして、タッチパネルにタッチした指などを離すタッチアップがあると、撮像装置が撮影を行う。
【先行技術文献】
【特許文献】
【０００９】
【特許文献１】特開２００７−２３６００８号公報
【特許文献２】特開２００７−９３９６７号公報
【特許文献３】特開平１１−１６０７７６号公報
【特許文献４】特開２０１１−１９３２４９号公報
【発明の概要】
【発明が解決しようとする課題】
【００１０】
上述のように、特許文献１〜４ともにタッチパネルにおけるタッチ操作に応じて、レリーズスイッチのＳＷ１およびＳＷ２の操作を選択的に行うようにしているものの、特許文献１〜４に記載の技術では次のような課題がある。
【００１１】
特許文献１又は２に記載のように、タッチパネルの押し圧又は接触面積に応じて、レリーズスイッチのＳＷ１およびＳＷ２の操作を選択的に行うようにすると、ＳＷ２の操作の際には、タッチパネルを強く指で押す必要がある。そして、タッチパネルを指で強く押すと、撮影動作の際に手ぶれが生じる可能性が高くなってしまう。
【００１２】
また、特許文献２に記載のように、２つのタッチセンサーを用いると、つまり、タッチセンサーを２つ必要とすると、不可避的にコストアップとなってしまうばかりでなく、操作が煩雑となって片手で操作し難くなってしまう。
【００１３】
さらに、特許文献４に記載のように、タッチダウンに応じて撮影準備動作を行い、タッチアップに応じて撮影を行う場合には、例えば、タッチダウンした後にいずれの被写体にＡＦを行うかを決めかねて、タッチ位置を移動しても最初にタッチダウン位置でＡＦを行われてしまうことなる。この結果、タッチダウン後においてユーザーの意図に応じてＡＦ対象の被写体を変更することができない。
【００１４】
つまり、特許文献４に記載の技術では、タッチダウンに応じてＳＷ１の操作が行われる結果、タッチ位置を一旦離して（タッチアップを行って）、撮影動作を行った後でないと、別の被写体を指定してＳＷ１の操作を行うことができない。
【００１５】
従って、本発明の目的は、タッチ操作後においてもユーザーがタッチ位置を移動して被写体の指定を変更して撮影準備動作を行うことができる撮像装置、その制御方法、プログラム、および記録媒体を提供することにある。
【課題を解決するための手段】
【００１６】
上記の目的を達成するため、本発明による撮像装置は、被写体を撮像して被写体像を得る撮像手段と、前記撮像手段で撮像されたスルー画像を表示可能な表示手段と、前記表示手段に対するタッチ操作を検出可能なタッチ検出手段と、前記表示手段において表示されたスルー画像上へのタッチがあり、かつ当該タッチによるタッチ位置の移動が停止したことに応じて、該タッチ位置に応じた被写体像に対して撮影準備動作を行うように制御する制御手段と、を有することを特徴とする。
【発明の効果】
【００１７】
本発明によれば、タッチ操作後においてもユーザーがタッチ位置を移動して被写体の指定を変更して撮影準備動作を行うことができ、ユーザーは所望する被写体を変更して撮影準備動作を行わせる。
【図面の簡単な説明】
【００１８】
【図１】本発明の第１の実施形態による撮像装置の一例についてその外観を示す斜視図であり、（Ａ）は正面側からみた斜視図、（Ｂ）は背面側からみた斜視図である。
【図２】図１に示すカメラの構成を説明するためのブロック図である。
【図３】図１に示すカメラにおいてユーザーによるタッチパネル上の操作の一例を示す斜視図である。
【図４】図２に示すカメラで行われる撮影処理の一例を説明するためのフローチャートである。
【図５】本発明の第２の実施形態によるカメラの撮影処理の一例を説明するためのフローチャートである。
【図６】本発明の第３の実施形態によるカメラ１００の撮影処理の一例を説明するためのフローチャートである。
【発明を実施するための形態】
【００１９】
以下、本発明の実施の形態による撮像装置の一例について図面を参照して説明する。
【００２０】
［第１の実施形態］
図１は、本発明の第１の実施形態による撮像装置の一例についてその外観を示す斜視図である。そして、図１（Ａ）は正面側からみた斜視図であり、図１（Ｂ）は背面側からみた斜視図である。
【００２１】
図示の撮像装置は、例えば、デジタルカメラ（以下単にカメラと呼ぶ）１００であり、カメラ１００はカメラ筐体１０１を有している。カメラ筐体１０１にはバッテリーが収納されるバッテリー室（図示せず）が形成されており、当該バッテリー室は開閉可能な蓋部１０２で覆われている。
【００２２】
カメラ筐体１０１の上面には電源スイッチ２１２が備えられており、電源スイッチ２１２の操作によってカメラ１００の電源がオン又はオフされる。カメラ筐体１０１の前面には撮影レンズ２０１が装着されており、この撮影レンズ２０１を介して被写体像（光学像）が撮像素子（図示せず）に結像する。
【００２３】
カメラ筐体１０１の背面には、タッチパネル付ＬＣＤパネル（以下表示部ともいう）２１５が配置されており、このＬＣＤパネル２１５には撮影の結果得られた画像が表示されるとともにカメラに関する各種情報が表示される。ＬＣＤパネル２１５に配置されたタッチパネルをタッチ操作すると、後述するようにして、カメラ１００は撮影準備動作（以下ＳＷ１動作と呼ぶ）および撮影動作（以下ＳＷ２動作と呼ぶ）を選択的に行う。
【００２４】
図示のカメラ１００では、レリーズスイッチの操作によるＳＷ１動作およびＳＷ２動作がタッチパネルの操作によって行われるので、通常の押しボタン式のレリーズスイッチは備えられていないが、押しボタン式のレリーズスイッチを備えて、レリーズスイッチおよびタッチパネルを用いた撮影を選択的に行えるようにしてもよい。
【００２５】
図２は、図１に示すカメラ１００の構成を説明するためのブロック図である。
【００２６】
カメラ１００は撮像部２１０を有しており、この撮像部２１０は内部バス２１３に接続されている。撮像部２１０には撮影レンズ（以下単にレンズと呼ぶ）２０１が備えられている。レンズ２０１の後段には絞り機能を備えるシャッター２０２が配置され、レンズ２０１から入射した被写体像（光学像）はシャッター２０２を通って撮像素子２０３に結像する。
【００２７】
撮像素子２０３は光学像に応じた電気信号（アナログ信号）を出力する。そして、当該アナログ信号はＡ／Ｄ変換器２０３によってデジタル信号（画像信号）に変換されて、画像処理回路２０５に与えられる。タイミングジェネレータ（ＴＧ）２０８は、ＣＰＵ２１８の制御下で撮像素子２０３およびＡ／Ｄ変換器２０４にクロック信号又は制御信号を供給する。
【００２８】
画像処理回路２０５はＡ／Ｄ変換器２０４から出力であるデジタル信号又はＲＡＭ２２０に記憶された画像データに対して所定の画素補間処理および色変換処理を行う。さらに、画像処理回路２０５は、ＣＰＵ２１８の制御下で撮影の結果得られた画像データを用いて所定の演算処理を行う。そして、ＣＰＵ２１８は当該演算結果に基づいて、被写体に対してフォーカスを自動的に合わせるオートフォーカス処理（ＡＦ処理）および自動露出処理（ＡＥ処理）を行う。
【００２９】
また、画像処理回路２０５は、ＣＰＵ２１８の制御下で、撮影の結果得られた画像データを用いて所定の演算処理を行って、当該演算結果に基づいてＴＴＬ方式のオートホワイトバランス処理（ＡＷＢ処理）を行う。
【００３０】
露光制御回路２０７は、ＣＯＵ２１８の制御下でシャッター２０２の制御を行う。レンズ制御回路２０６は、ＣＰＵ２１８の制御下でレンズ２０１のフォーカシング制御およびズーミング制御を行う。なお、露光制御回路２０７およびレンズ制御回路２０６はＴＴＬ方式によって制御されており、前述のように、ＣＰＵ２１８は画像処理回路２０５による演算結果に基づいて、露光制御回路２０７およびレンズ制御回路２０６を制御する。
【００３１】
図示のように、内部バス２１３にはＣＰＵ２１８、ＲＯＭ２１９、ＲＡＭ２２０、表示インタフェース（Ｉ／Ｆ）２１４、センサーＩ／Ｆ２１６、デジタルシグナルプロセッサ（ＤＳＰ）２１１、電源スイッチ２１２、およびカードＩ／Ｆ２２１が接続されている。そして、カードＩ／Ｆ２２１にはメモリカードが着脱可能に接続される。また、センサーＩ／Ｆ２１６にはタッチパネル２１７が接続され、表示Ｉ／Ｆ２１４には表示部２１５が接続される。
【００３２】
ＣＰＵ２１８はカメラ１００の制御を司る。電源スイッチ２１２の操作よってＣＰＵ２１８が起動して、ＣＰＵ２１８はＲＯＭ２１９に格納された各種プログラムを実行して、表示Ｉ／Ｆ２１４を介して表示部２１５の表示制御を行う。ＲＯＭ２１９には、各種プログラムとして、例えば、ＣＰＵ２１８の動作処理手順であるカメラの立ち上げ処理および基本入出力処理を実行するプログラムが格納されるとともに、後述する処理を実行するためのプログラムが格納されている。
【００３３】
ＲＡＭ２２０はＣＰＵ２１８のワークエリアとして用いられる。表示部２１５にはグラフィックユーザインターフェース（ＧＵＩ）が表示される。また、表示部２１には撮影の結果得られた画像又はスルー画像が表示可能であり、さらには、表示部２１にはメモリカード２２２に格納された画像および各種操作用アイコンが表示可能である。
【００３４】
ユーザーはタッチパネル２１７上で操作用アイコンをタッチ操作すると、ＣＰＵ２１８は当該タッチ操作された操作用アイコンに応じた処理を実行する。つまり、タッチパネル２１７は、タッチ操作を検出可能であり、タッチ位置に応じたタッチ座標を出力し、オンスクリーンディスプレイ（ＯＳＤ）表示と組み合わせてＧＵＩを実現する。
【００３５】
メモリカード（記録媒体）２２２は、例えば、フラッシュメモリであり、ＣＰＵ２１８はメモリカード２２２に格納された画像データの読み出しを行うとともに、撮影の結果得られた画像データ（つまり、画像ファイル）をメモリカード２２２に記録する。
【００３６】
なお、図２においては、タッチパネル２１７および表示部２１５と別々に示されているが、タッチパネル２１７および表示部２１５は一体的に構成される。この際には、タッチパネル２１７は表示部２１５における表示を妨げない透過率を有し、表示部２１５の表示面の上層にタッチパネル２１７が取り付けられる。そして、タッチパネル２１７のタッチ座標（入力座標）と表示部２１５の表示座標とが対応付けられる。これによって、恰もユーザーが表示部２１５上に表示された画面を直接的に操作可能であるかのようにＧＵＩを構成することができる。
【００３７】
ＣＰＵ２１８はタッチパネル２１７に対する次のタッチ操作又はタッチ状態を検出する。
【００３８】
タッチパネル２１７を指又はペンで触れたこと（以下タッチダウンという）。タッチパネル２１７を指又はペンで触れている状態であること（以下タッチオンという）。タッチパネル２１７を指又はペンで触れたまま移動していること（以下ムーブという）。タッチパネル２１７に触れていた指又はペンを離したこと（以下タッチアップというる）。タッチパネル２１７に何も触れていない状態（以下タッチオフという）。
【００３９】
これらの操作又は状態、そして、タッチパネル２１７に指又はペンが触れている位置座標（タッチ座標）は内部バス２１３を介してＣＰＵ２１８に操作情報として送られる。そして、ＣＰＵ２１８は操作情報に基づいてタッチパネル２１７でどのような操作が行なわれたかを判定する。
【００４０】
ＣＰＵ２１８は、タッチ座標が誤差範囲程度である所定の距離範囲を超えて移動した場合にムーブであると判定する。また、ＣＰＵ２１８はタッチパネル２１７上で移動する指又はペンの移動方向について、その位置座標の変化に基づいてタッチパネル２１７上の垂直成分および水平成分毎に判定する。
【００４１】
なお、タッチダウンから一定のムーブを経てタッチアップをした場合を、ストロークを描いたこととする。素早くストロークを描く操作をフリックと呼ぶ。フリックは、タッチパネル２１７上に指又はペンを触れた状態である程度の距離だけ素早く動かして、そのまま離すといった操作であって、言い換えると、タッチパネル２１７を指ではじくように素早くなぞる操作である。
【００４２】
ＣＰＵ２１８は、所定の距離以上を所定の速度以上でムーブしたことを検出した際、タッチアップを検出するとフリックが行なわれたと判定する。また、ＣＰＵ２１８は所定距離以上を所定の速度未満でムーブしたことを検出した場合、ドラッグが行なわれたと判定する。
【００４３】
タッチパネル２１７には、抵抗膜方式、静電容量方式、表面弾性波方式、赤外線方式、電磁誘導方式、画像認識方式、および光センサー方式など様々な方式があるが、ここではいずれの方式のタッチパネルを用いるようにしてもよい。
【００４４】
図３は、図１に示すカメラ１００においてユーザーによるタッチパネル２１７上の操作の一例を示す斜視図である。
【００４５】
いま、ユーザーが表示部２１５に表示された画面上（つまり、スルー画像上）において、撮影したい被写体３０２に指３０１をタッチダウンして、さらにムーブが無い状態で所定量以上の押し圧を検出すると、ＣＰＵ２１８は当該被写体３０２に合わせてＡＦ動作などの撮影準備動作を開始する。
【００４６】
そして、タッチアップを検出すると、ＣＰＵ２１８は撮影動作を開始する。後述するように、指３０１を画面から離すことなくタッチを続けると、つまり、タッチオンで、ＣＰＵ２１８は撮影準備完了の状態を保持する。これによって、ユーザーはタッチアップするタイミングを撮影したいタイミングに合わせることができる。
【００４７】
なお、ＣＰＵ２１８は後述するように、ユーザーが被写体像をタッチダウンしてムーブがない状態で所定の時間を経過すると、当該被写体像に合わせてＡＦ動作などの撮影準備動作を開始するようにしてもよい。
【００４８】
図４は、図２に示すカメラ１００で行われる撮影処理の一例を説明するためのフローチャートである。なお、図４に示すフローチャートにおける処理は、ＲＯＭ２１９に格納されたプログラムをＲＡＭ２２０に展開して、ＣＰＵ２１８が実行する。
【００４９】
電源スイッチ２１２がオンされて、撮影モードが選択されると、ＣＰＵ２１８は撮影処理を開始する。そして、ＣＰＵ２１８は表示部２１５に表示された画面においてタッチパネル２１７に対してタッチダウンがあったか否かを判定する（ステップＳ４０１）。タッチダウンがないと（ステップＳ４０１において、ＮＯ）、ＣＰＵ２１８は待機する。
【００５０】
一方、タッチダウンがあると（ステップＳ４０１において、ＹＥＳ）、ＣＰＵ２１８は当該タッチダウンの後タッチアップがあったか否かを判定する（ステップＳ４０２）。タッチアップがあると（ステップＳ４０２において、ＹＥＳ）、ＣＰＵ２１８はステップＳ４０１の処理に戻る。
【００５１】
タッチアップがないと（ステップＳ４０２において、ＮＯ）、ＣＰＵ２１８はタッチダウンの後ムーブがあったか否かを判定する（ステップＳ４０３）。ムーブがあると（ステップＳ４０３において、ＹＥＳ）、ＣＰＵ２１８はステップＳ４０２の処理に戻る。
【００５２】
ムーブがないと（ステップＳ４０３において、ＮＯ）、ＣＰＵ２１８はタッチオンされている被写体像に関して撮影準備動作を行う（ステップＳ４０４）。そして、ＣＰＵ２１８はタッチアップがあったか否かを判定する（ステップＳ４０５）。タッチアップがないと（ステップ４０５において、ＮＯ）、ＣＰＵ２１８はムーブがあったか否かを判定する（ステップＳ４０６）。
【００５３】
ムーブがあると（ステップＳ４０６において、ＹＥＳ）、ＣＰＵ２１８はステップＳ４０２の処理に戻る。一方、ムーブがないと（ステップＳ４０６において、ＮＯ）、ＣＰＵ２１８はステップＳ４０５の処理に戻る。
【００５４】
タッチアップがあると（ステップ４０５において、ＮＯ）、ＣＰＵ２１８は、前述したようにして、撮影動作（本撮影処理ともいう）を行って（ステップＳ４０７）、一連の撮影処理を終了する。
【００５５】
このようにして、本発明の第１の実施形態では、表示部２１５に表示された被写体像をタッチダウンしてムーブがないと、ＣＰＵ２１８は当該被写体像にフォーカスなどを合わせる撮影準備動作を行う。そして、タッチアップがないと、ＣＰＵ２１８は撮影動作を実行する。
【００５６】
つまり、表示部２１５に表示されたスルー画像上へのタッチがあり、かつ当該タッチによるタッチ位置の移動が停止したことに応じて、ＣＰＵ２１８はタッチ位置に応じた被写体像に対して撮影準備動作を行うことになる。
【００５７】
加えて、ＣＰＵ２１８はタッチ位置に応じた撮影準備動作を開始した後、タッチが離されることなくタッチ位置が移動し再び停止した際には、再び停止したタッチ位置に応じた被写体に対して撮影準備動作を再度行うことになる。
【００５８】
従って、本発明の第１の実施形態では、ムーブがあれば撮影準備動作が行われず、ムーブが終了した後、タッチアップがなければ撮影準備動作が行われることになってタッチ操作開始後においてもユーザーが所望する被写体像に合わせて撮影準備動作を行うことができる。
【００５９】
［第２の実施形態］
次に本発明の第２の実施形態によるカメラについて説明する。なお、第２の実施形態によるカメラの構成は図１および図２に示すカメラと同様であるので、ここでは説明を省略する。
【００６０】
図５は、本発明の第２の実施形態によるカメラ１００の撮影処理の一例を説明するためのフローチャートである。なお、図５に示すフローチャートにおいて、図４に示すフローチャートと同一のステップについては同一の参照符号を付して説明を省略する。また、図５に示すフローチャートにおける処理は、ＲＯＭ２１９に格納されたプログラムをＲＡＭ２２０に展開して、ＣＰＵ２１８が実行する。
【００６１】
図４で説明したステップＳ４０２においてタッチアップがないと、ＣＰＵ２１８はタッチダウンの後、ムーブがない状態で所定の時間が経過したか否かを判定する（ステップＳ５０１）。所定の時間が経過しないと（ステップＳ５０１において、ＮＯ）、ＣＰＵ２１８はステップＳ４０２の処理に戻ってタッチアップがあったか否かを判定する。
【００６２】
一方、所定の時間が経過すると（ステップＳ５０１において、ＹＥＳ）、つまり、タッチ位置の移動が所定の時間以上停止すると、ＣＰＵ２１８は、ステップＳ４０４の処理に進んで、撮影準備動作を行う。その後、ＣＰＵ２１８はステップＳ４０５〜Ｓ４０７の処理を行って、一連の撮影処理が終了する。
【００６３】
このように、本発明の第２の実施形態では、表示部２１５に表示された被写体像をタッチダウンした後ムーブがない状態で所定の時間が経過すると、ＣＰＵ２１８は当該被写体像にフォーカスなどを合わせる撮影準備動作を行う。従って、本発明の第２の実施形態では、タッチダウン後ムーブがない状態が所定の時間継続しないと撮影準備動作が行われず、所定の時間経過後、撮影準備動作が行われることになってタッチ操作開始後においてもユーザーが所望する被写体像に合わせて撮影準備動作を行うことができる。
【００６４】
［第３の実施形態］
次に、本発明の第３の実施形態によるカメラについて説明する。なお、第３の実施形態によるカメラの構成は図１および図２に示すカメラと同様であるので、ここでは説明を省略する。
【００６５】
図６は、本発明の第３の実施形態によるカメラ１００の撮影処理の一例を説明するためのフローチャートである。なお、図６に示すフローチャートにおいて、図４に示すフローチャートと同一のステップについては同一の参照符号を付して説明を省略する。また、図６に示すフローチャートにおける処理は、ＲＯＭ２１９に格納されたプログラムをＲＡＭ２２０に展開して、ＣＰＵ２１８が実行する。
【００６６】
第３の実施形態で用いられるタッチパネル２１７においては、３次元において、ＸＹ座標およびＺ軸方向におけるタッチパネルを押す圧力に応じたＺ座標を検知することができる。つまり、タッチパネル２１７は押し圧（接触圧力）を検知可能である。
【００６７】
図４で説明したステップＳ４０３においてムーブがないと、ＣＰＵ２１８は、Ｚ座標の変化に応じてタッチオンによる押し圧を算出して、当該押し圧が所定の圧力以上であるか否かを判定する（ステップＳ６０１）。タッチオンによる押し圧が所定の圧力未満であると（ステップＳ６０１において、ＮＯ）、ＣＰＵ２１８はステップＳ４０３の処理に戻ってムーブがあったか否かを判定する。
【００６８】
一方、タッチオンによる押し圧が所定の圧力以上であると（ステップＳ６０１において、ＹＥＳ）、ＣＰＵ２１８は、ステップＳ４０４の処理に進んで、撮影準備動作を行う。その後、ＣＰＵ２１８はステップＳ４０５〜Ｓ４０７の処理を行って、一連の撮影処理が終了する。
【００６９】
このように、本発明の第３の実施形態では、表示部２１５に表示された被写体像をタッチダウンした後ムーブがない状態でタッチオンによる押し圧が所定の圧力以上であると、ＣＰＵ２１８は当該被写体像にフォーカスなどを合わせる撮影準備動作を行う。
【００７０】
従って、本発明の第３の実施形態では、タッチダウン後ムーブがない状態でタッチオンによる押し圧が所定の圧力未満であれば撮影準備動作が行われず、押し圧が所定の圧力以上となって撮影準備動作が行われることになる。これによって、タッチ操作開始後においてもユーザーが所望する被写体像に合わせて撮影準備動作を行うことができる。
【００７１】
以上説明したように、本発明の実施の形態では、容易に撮影の対象となる被写体を変更して、撮影準備動作を開始することができる。
【００７２】
なお、上述の第１〜第３の実施形態においては、タッチオンされている被写体像に対して所定の領域枠、つまり、ＡＦ枠（例えば、１ｃｍ角の正方形の範囲）を範囲表示して、ユーザーが撮影の対象となる被写体像を容易に把握できるようにしてもよい。この際には、ＣＰＵ２１８はタッチ位置の移動に追従してＡＦ枠の表示位置も移動する。
【００７３】
また、撮影準備完了した際には、例えば、ＡＦ枠を破線から実線に変更すれば、ユーザーが容易に撮影準備の完了を知ることができる。
【００７４】
上述の説明から明らかなように、図２に示す例では、撮像部２１０が撮像手段として機能し、ＣＰＵ２１８およびタッチパネル２１７がタッチ検出手段として機能する。また、ＣＰＵ２１８は制御手段として機能する。そして、ＣＰＵ２１８は表示制御手段としても機能する。さらに、前述の撮影準備動作には、少なくともＡＦ制御およびＡＥ処理が含まれる。
【００７５】
なお、ＣＰＵ２１８における制御は１つのハードウェアが行ってもよいし、複数のハードウェアが処理を分担することで、装置全体の制御を行ってもよい。
【００７６】
本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７７】
また、上述した実施形態においては、本発明をデジタルカメラに適用した場合を例にして説明したが、これはこの例に限定されず、撮像手段およびタッチパネルを有する機器であれば適用可能である。例えば、ＰＤＡおよび携帯電話端末などに適用可能である。
【００７８】
［他の実施形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７９】
２１０  撮像部
２０３  撮像素子
２０５  画像処理回路
２０６  レンズ制御回路
２０７  露光制御回路
２１２  電源スイッチ
２１５  表示部
２１７  タッチパネル
２１８  ＣＰＵ
２２２  メモリカード
【図１】
2014085620.tif 000003
【図２】
2014085620.tif 000004
【図３】
2014085620.tif 000005
【図４】
2014085620.tif 000006
【図５】
2014085620.tif 000007
【図６】
2014085620.tif 000008